(57)【要約】【課題】オイルがブリーザ室外から室内へ直接侵入するのを防ぐことを可能にすること。【解決手段】余剰圧力を外部に逃がすリリーフ弁１を備えたブリーザ室２において、前記ブリーザ室の下部壁２１に形成され、該ブリーザ室内に溜まったオイルを室外へ戻す油戻し溝３を包囲するリブ４を備え、前記ブリーザ室の側壁の一部を構成するプレート６の一部の屈曲部６１を、前記ブリーザ室外で前記油戻し溝３付近にラップさせるブリーザ室のオイル遮蔽構造である。【選択図】図１
2005315393.tif 000002
【特許請求の範囲】
【請求項１】
余剰圧力を外部に逃がすリリーフ弁を備えたブリーザ室において、
前記ブリーザ室の下部に形成され、該ブリーザ室内に溜まったオイルを室外へ戻す油戻し溝を包囲するリブを備えている
ことを特徴とするブリーザ室のオイル遮蔽構造。
【請求項２】
請求項１において、
前記リブが、前記油戻し溝の周囲において前記ブリーザ室の下部壁から下方に突出形成されている
ことを特徴とするブリーザ室のオイル遮蔽構造。
【請求項３】
請求項２において、
ブリーザ室外で前記油戻し溝に対向して配設されている遮蔽部材を備えていることを特徴とするブリーザ室のオイル遮蔽構造。
【請求項４】
請求項３において、
前記遮蔽部材が、前記油戻し溝の開口面積より大きな面積を有し、前記油戻し穴に対してオーバーラップするように構成されている
ことを特徴とするブリーザ室のオイル遮蔽構造。
【請求項５】
請求項４において、
前記ブリーザ室の側壁の一部が、該ブリーザ室が形成されたケーシングに固定されたプレートによって構成されている
ことを特徴とするブリーザ室のオイル遮蔽構造。
【請求項６】
請求項５において、
前記プレートが、一部が突出形成された突出部を備え、
該突出部が、折り曲げられ、前記油戻し溝を塞ぐように構成されている
ことを特徴とするブリーザ室のオイル遮蔽構造。
【請求項７】
請求項６において、
前記油戻し溝が、前記ブリーザ室の下部の傾斜している部分に形成され、該油戻し穴の最下部を介して前記ブリーザ室内に溜まったオイルを室外へ戻すように構成されている
ことを特徴とするブリーザ室のオイル遮蔽構造。
【発明の詳細な説明】
【技術分野】
【０００１】
本発明は、余剰圧力を外部に逃がすリリーフ弁を備えたブリーザ室であって、前記ブリーザ室内に溜まったオイルを室外へ戻す油戻し溝をリブで包囲し、オイルがブリーザ室外から室内へ直接侵入するのを防ぐことを可能にしたブリーザ室のオイル遮蔽構造に関するものである。
【背景技術】
【０００２】
従来のブリーザ室のオイル遮蔽構造は、図６および図７に示されるようにブリーザ室Ｂの側壁の一部が、オイルが直接ブリーザ室Ｂに侵入しないように該ブリーザ室Ｂが形成されたケーシングＣに固定されたプレートＰによって構成され、前記ブリーザ室Ｂの下部に形成され油戻し穴Ｈが下方に開口するものであった。
【発明の開示】
【発明が解決しようとする課題】
【０００３】
上記従来のブリーザ室の遮蔽構造は、オイルをブリーザ室Ｂ外へ戻すべき下方に開口した前記油戻し穴Ｈからオイルがブリーザ室Ｂ内に逆流し、結果、余剰圧力を外部に逃がすべき前記リリーフ弁Ｒからオイルが噴出する可能性があるという問題点があった。
【０００４】
そこで本発明者は、余剰圧力を外部に逃がすリリーフ弁を備えたブリーザ室において、前記ブリーザ室の下部に形成され、該ブリーザ室内に溜まったオイルを室外へ戻す油戻し溝をリブにより包囲するという本発明の第１の技術的思想に着眼するとともに、ブリーザ室外で前記油戻し溝すなわち穴付近にプレートをラップするという本発明の第２の技術的思想に着眼し、さらに研究開発を重ねた結果、オイルがブリーザ室外からブリーザ室内へ直接侵入するのを防ぐという目的を達成する本発明に到達した。
【課題を解決するための手段】
【０００５】
本発明（請求項１に記載の第１発明）のブリーザ室のオイル遮蔽構造は、
余剰圧力を外部に逃がすリリーフ弁を備えたブリーザ室において、
前記ブリーザ室の下部に形成され、該ブリーザ室内に溜まったオイルを室外へ戻す油戻し溝を包囲するリブを備えている
ものである。
【０００６】
本発明（請求項２に記載の第２発明）のブリーザ室のオイル遮蔽構造は、
前記第１発明において、
前記リブが、前記油戻し溝の周囲において前記ブリーザ室の下部壁から下方に突出形成されている
ものである。
【０００７】
本発明（請求項３に記載の第３発明）のブリーザ室のオイル遮蔽構造は、
前記第２発明において、
ブリーザ室外で前記油戻し溝に対向して配設されている遮蔽部材を備えているものである。
【０００８】
本発明（請求項４に記載の第４発明）のブリーザ室のオイル遮蔽構造は、
前記第３発明において、
前記遮蔽部材が、前記油戻し溝の開口面積より大きな面積を有し、前記油戻し穴に対してオーバーラップするように構成されている
ものである。
【０００９】
本発明（請求項５に記載の第５発明）のブリーザ室のオイル遮蔽構造は、
前記第４発明において、
前記ブリーザ室の側壁の一部が、該ブリーザ室が形成されたケーシングに固定されたプレートによって構成されている
ものである。
【００１０】
本発明（請求項６に記載の第６発明）のブリーザ室のオイル遮蔽構造は、
前記第５発明において、
前記プレートが、一部が突出形成された突出部を備え、
該突出部が、折り曲げられ、前記油戻し溝を塞ぐように構成されている
ものである。
【００１１】
本発明（請求項７に記載の第７発明）のブリーザ室のオイル遮蔽構造は、
前記第６発明において、
前記油戻し溝が、前記ブリーザ室の下部の傾斜している部分に形成され、該油戻し穴の最下部を介して前記ブリーザ室内に溜まったオイルを室外へ戻すように構成されている
ものである。
【発明の効果】
【００１２】
上記構成より成る第１発明のブリーザ室のオイル遮蔽構造は、余剰圧力を外部に逃がすリリーフ弁を備えたブリーザ室において、前記ブリーザ室の下部に形成され、前記ブリーザ室内に溜まったオイルを室外へ戻す油戻し溝をリブで包囲するので、オイルがブリーザ室外から室内へ直接侵入するのを防ぐという効果を奏する。
【００１３】
上記構成より成る第２発明のブリーザ室のオイル遮蔽構造は、前記第１発明において、前記油戻し溝の周囲において前記ブリーザ室の下部壁から下方に突出形成されている前記リブが、前記油戻し溝をリブで包囲するので、オイルがブリーザ室外から室内へ直接侵入するのを有効に防ぐという効果を奏する。
【００１４】
上記構成より成る第３発明のブリーザ室のオイル遮蔽構造は、前記第２発明において、前記ブリーザ室外で前記油戻し溝に対向して配設された前記遮蔽部材が、前記油戻し溝を遮蔽するので、オイルがブリーザ室外から室内へ直接侵入するのをさらに有効に防ぐという効果を奏する。
【００１５】
上記構成より成る第４発明のブリーザ室のオイル遮蔽構造は、前記第３発明において、前記遮蔽部材が、前記油戻し溝の開口面積より大きな面積を有し、前記油戻し穴に対してオーバーラップするように構成されているので、前記油戻し溝を介するオイルの直接侵入を有効に遮蔽するという効果を奏する。
【００１６】
上記構成より成る第５発明のブリーザ室のオイル遮蔽構造は、前記第４発明において、前記ブリーザ室の側壁の一部が、該ブリーザ室が形成されたケーシングに固定されたプレートによって構成されているので、該プレートによって前記ブリーザ室へのオイルの侵入を防止するとともに、前記油戻し溝の開口部を塞ぐので、前記油戻し穴を形成し、前記油戻し穴を介するオイルの直接侵入を有効に遮蔽するという効果を奏する。
【００１７】
上記構成より成る第６発明のブリーザ室のオイル遮蔽構造は、前記第５発明において、前記プレートの一部が突出形成された前記突出部が、折り曲げられ、前記油戻し溝を塞ぐように構成されているので、シンプルな構成により、前記油戻し溝と前記プレートとによって構成される前記油戻し穴を介するオイルの直接侵入を有効に遮蔽するという効果を奏する。
【００１８】
上記構成より成る第７発明のブリーザ室のオイル遮蔽構造は、前記第６発明において、前記油戻し溝が、前記ブリーザ室の下部の傾斜している部分に形成され、該油戻し穴の最下部を介して前記ブリーザ室内に溜まったオイルを室外へ戻すように構成されているので、前記ブリーザ室内に溜まったオイルを室外へ有効に戻すという効果を奏する。
【発明を実施するための最良の形態】
【００１９】
以下本発明の最良の実施の形態につき実施例に基づき、図面を用いて具体的に説明する。
【実施例１】
【００２０】
本第１実施例のブリーザ室のオイル遮蔽構造は、図１ないし図３に示されるように余剰圧力を外部に逃がすリリーフ弁１を備えたブリーザ室２において、前記ブリーザ室の下部壁２１に形成され、該ブリーザ室内に溜まったオイルを室外へ戻す油戻し溝３を包囲するリブ４を備え、前記ブリーザ室の側壁の一部を構成するプレート６の一部の屈曲部６１を、前記ブリーザ室外で前記油戻し溝３付近にラップさせるものである。
【００２１】
本第１実施例のブリーザ室は、例えばトランスミッションおよびトランスファーその他これらに類するものに適用されるもので、図２に示されるようにブリーザ室上部の壁部に、ブリーザ室内の余剰圧力を外部に逃がし、該ブリーザ室内の圧力を減圧するリリーフ弁１を備えている。
【００２２】
前記リリーフ弁１は、弁体が着座するように付勢する圧縮ばねを有し、ブリーザ室内が所定の圧力値に達したときに開弁するように構成されており、これによってブリーザ室内の余剰圧力を外部に逃がすように構成されている。
【００２３】
前記油戻し溝３は、前記ブリーザ室２の下部の円弧状に傾斜している下部傾斜壁２１に形成された略Ｕ字形状の溝によって構成され、該油戻し穴３の内壁面全体および最下部（図１中右側の内壁面）を介して前記ブリーザ室２内に溜まったオイルを室外へ戻すように構成されているものである。
【００２４】
前記リブ４が、略Ｕ字形状の前記油戻し溝３の周囲両側において、前記ブリーザ室２の下部壁から下方に突出形成され、２条略平行になるように形成されているものである。
【００２５】
前記リブ４は、図２および図３に示されるように前記ブリーザ室２が形成されたケーシング５の内周壁５１から離れるに従い厚さ（図３中横方向）および高さ（図２中上下方向）が徐々に小さくなるように形成されている。
【００２６】
前記ブリーザ室２の側壁の一部は、図２に示すようにブリーザ室２の左方の開口部２２を塞ぐように該ブリーザ室２が穿設形成されたケーシング５の両側２ヵ所においてビスによって固定されたプレート６によって構成されている。
【００２７】
本第１実施例においては、前記ブリーザ室２の外で前記油戻し溝に対向して配設され、前記ブリーザ室２の外で前記油戻し溝３付近にラップさせる遮蔽部材を備えているが、該遮蔽部材は、前記プレート６の一部６１を、突出形成させた略矩形の突出部によって構成される。
【００２８】
該突出部６１が、前記油戻し溝３に対してほぼ平行になるように折り曲げられ、前記油戻し溝３に対してほぼ一定間隔を隔てて対向して、該油戻し溝３を塞ぐように構成されている。
【００２９】
前記遮蔽部材としての前記プレート６の一部である屈曲した矩形の突出部６１が、略Ｕ字形状の前記油戻し溝３の開口面積より大きな面積を有し、前記油戻し穴に対してオーバーラップするように配設され、飛散したオイルが直線的に前記油戻し溝３を通過することがないように構成されているものである。
【００３０】
上記構成より成る本第１実施例のブリーザ室のオイル遮蔽構造は、図１に示すようにブリーザ室２の傾斜面の底部壁部２１が構成されており、前記油戻し溝３がブリーザ室２内で最も低い所に位置するように配置するものであるため、これによってブリーザ室２内に溜まったオイルを油戻し溝３を介して室外に戻すことができる。
【００３１】
さらに本第１実施例のブリーザ室のオイル遮蔽構造は、従来のブリーザ室のオイル遮蔽形状が、図６および図７に示されるように油戻し溝Ｈ以外の側方開口部分からオイルが直接ブリーザ室２に侵入しないようにプレートＰで蓋をするのみであったのに対し、図２に示すようにブリーザ室２内に溜まったオイルを室外へ戻す油戻し溝３を前記リブ４で包囲するとともに、ブリーザ室２の外で油戻し溝３付近に前記プレートの屈曲突出部６１をラップしている。
【００３２】
これにより本第１実施例では、図２に示すようにブリーザ室２の左方の開口部２２を前記ブレート６によって塞ぐとともに、前記リブ４および本体部壁面で油戻し溝３入り口下部の側方を囲み、前記プレート６さらに前記プレートを折り曲げることにより前記油戻し溝下部の側方に対し底部にあたる部分をも囲んでいるので、オイルおよび空気などの侵入路は折り曲げられた前記プレート６の屈曲突出部６１と本体部の前記油戻し溝３とのわずかな隙間しかない。
【００３３】
その結果、本第１実施例のブリーザ室のオイル遮蔽構造は、図２に示されるように空気などは上述した前記プレート６の屈曲突出部６１と本体部の前記油戻し溝３とのわずかな隙間を介してブリーザ室に取り込むことが出来、前記リリーフ弁１がブリーザ室内の余剰圧力を外部に逃がし、該ブリーザ室内の圧力を減圧することが出来るものである。
【００３４】
前記プレート６の屈曲突出部６１が、本体部の前記油戻し溝３をオーバーラップして塞ぐことにより、飛散した油が直接直線的に前記油戻し溝３からブリーザ室２内に侵入するのを防ぐことができるとともに、前記油戻し溝３と前記プレート６の矩形の前記屈曲突出部６１との間の僅かな両側の隙間を前記リブ４によって塞ぐので、飛散した油が、前記油戻し溝３と前記プレート６の矩形の前記屈曲突出部６１との間の僅かな両側の隙間を直線的に通過してブリーザ室２内に侵入するのを防ぐものである。
【００３５】
すなわち飛散した油が、前記油戻し溝３と前記プレート６の矩形の前記屈曲突出部６１との間の僅かな両側の隙間を通過しようとすると、前記リブ４の側壁に当たり、図１中下方に落下するのである。
【００３６】
しかもギヤなどの回転部材が高速回転している状況、すなわち潤滑用のオイルが激しく攪拌され飛散した油のはねかけ量が多い状況においても、本第１実施例においては、略Ｕ字形状の前記油戻し溝３の開口面積より充分大きな面積を有する前記プレート６の矩形の前記屈曲突出部６１が、本体部の略Ｕ字形状の前記油戻し溝３をオーバーラップして配置されているので、前記両側の前記リブ４の間を通過して直接前記油戻し溝３の開口部を通過しようとする飛散した油は、前記油戻し溝３にオーバーラップして配置されている前記プレート６の矩形の前記屈曲突出部６１の下面に当たり、図１および図２中下方に落下するのである。
【００３７】
これにより、上述のように戻されたオイルは、再びギヤなどの回転部材の潤滑用オイルとして使用することができ、またブリーザ室内においては余剰の高圧ガスのみをリリーフ弁から外部に放出することが可能となる。
【００３８】
上記作用を奏する本第１実施例のブリーザ室のオイル遮蔽構造は、前記ブリーザ室２内に溜まったオイルを室外へ戻す前記油戻し溝３を前記リブ４で包囲したので、飛散したオイルがブリーザ室外から前記油戻し溝３を介して室内へ直接侵入するのを防ぐという効果を奏する。
【００３９】
また本第１実施例のブリーザ室のオイル遮蔽構造は、前記ブリーザ室２の外において前記油戻し溝３付近に面積の大きな前記プレートをラップするので、両側の衝立としてのリブ４の間を通過したオイルがブリーザ室外から前記油戻し溝３を通過して室内へ直接侵入するのを防ぐという効果を奏する。
【００４０】
さらに本第１実施例のブリーザ室のオイル遮蔽構造は、飛散した油が、前記油戻し溝３と前記プレート６の矩形の前記屈曲突出部６１との間の僅かな両側の隙間を通過しようとすると、すこし前方に配設された前記リブ４の側壁に当たり、図１中下方に落下させるので、前記油戻し溝３と前記プレート６の矩形の前記屈曲突出部６１との間の僅かな両側の隙間を通過して室内へ直接侵入するのを防ぐという効果を奏する。
【実施例２】
【００４１】
本第２実施例のブリーザ室のオイル遮蔽構造は、図４に示されるように本第１実施例のプレート６の矩形の前記屈曲突出部６１の先端部６１１に対向するケーシング５の内壁面に新たにリブ４２を配設する点が、前記第１実施例との相違点であり、以下相違点を中心に説明する。
【００４２】
前記油戻し溝３に対向して配設された前記プレート６の前記屈曲突出部６１の先端部６１１に対向する本体部壁面であるケーシング５の内壁面に、衝立としての前記リブ４２を配設したので、本体部壁面に沿ってプレート６の矩形の前記屈曲突出部６１の先端部６１１とケーシング５の内壁面との間から侵入してくるオイルが、前記衝立としての前記リブ４２に衝突することにより、オイルが前記衝立としての前記リブ４２に当たって付着し、そのオイルが戻され、再び回転部材などの潤滑用オイルとして用いられる。
【００４３】
本第２実施例のブリーザ室のオイル遮蔽構造は、上述の第１実施例の本体部の内壁面に前記衝立としての前記リブ４２を新たに配置するものであるため、上述の第１実施例と同様の作用効果を奏する上に、前記ブリーザ室２の外から本体部壁面であるケーシング５の内壁面に沿って前記プレート６の矩形の前記屈曲突出部６１の先端部６１１とケーシング５の内壁面との間を通過するオイルおよびオイルを含んだ高圧ガスが、前記衝立としての前記リブ４２に衝突することにより、オイルが前記衝立としての前記リブ４２に付着し、そのオイルが戻され、オイルが前記ブリーザ室２の外から本体部壁面であるケーシング５の内壁面に沿って室内へ直接侵入するのを防ぎ、さらに確実に前記ブリーザ室２内の余剰圧力のみをリリーフ弁１より外部に逃がすことが可能になるという効果を奏する。
【００４４】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【００４５】
上述の実施例においては、一例として前記油戻し溝３の両側に新たに衝立としてのリブ４を配設し、その間にプレートの前記屈曲突出部６１を配置して、前記油戻し溝３を塞ぐ例について説明したが、本発明としてはそれらに限定されるものではなく、前記油戻し溝３の両側に衝立としてのリブ４が配設されていない状態において、プレートの前記屈曲突出部６１のみを配置して、前記油戻し溝３を塞ぐ実施形態を採用することが出来る。
【００４６】
上述の第２実施例においては、一例としてプレート６の矩形の前記屈曲突出部６１の先端部６１１に対向するケーシング５の内壁面に新たにリブ４２を配設する例について説明したが、本発明としてはそれらに限定されるものではなく、図５（Ａ）および（Ｂ）に示されるようにこのリブ４２に加えてまたはその代わりに油戻し溝３に近接した部位の前記ブリーザ室２の底部壁部下面に、下方に突出したリブ４３を形成する実施形態や、上方に穿設した半円状の凹部４４を形成する実施形態を採用することが出来、いずれも前記ブリーザ室２の底部壁部下面に沿うオイルが衝突することにより、オイルが前記リブ４３および前記凹部４４の垂直部に付着し、侵入を防止するものである。
【００４７】
また上述の実施例は、回転部材を備えた本体部に対するブリーザ室のオイル遮蔽形状の一例について説明したが、本発明としてはそれらに限定されるものではなく、必要に応じて数、配置およびその他を変更することが可能である。
【産業上の利用可能性】
【００４８】
余剰圧力を外部に逃がすリリーフ弁を備えたブリーザ室において、前記ブリーザ室内に溜まったオイルを室外へ戻す油戻し溝をリブで包囲し、ブリーザ室外で前記油戻し溝付近にプレートの屈曲突出部をオーバーラップさせることにより、オイルがブリーザ室外から室内へ直接侵入するのを防ぎ、安定に且つ確実に余剰圧力を外部に逃がすとともに、オイルを再び利用できることが要求される用途にも適用できる。
【図面の簡単な説明】
【００４９】
【図１】本発明の第１実施例のブリーザ室のオイル遮蔽構造の要部を示す断面図である。
【図２】本第１実施例のブリーザ室のオイル遮蔽構造を示す図１中Ａ−Ａ線に沿う断面図である。
【図３】本第１実施例のブリーザ室のオイル遮蔽構造を示す図２中Ｂ−Ｂ線に沿う断面図である。
【図４】本発明の第２実施例のブリーザ室のオイル遮蔽構造の要部を示す断面図である。
【図５】本発明のその他の２つの実施形態のブリーザ室のオイル遮蔽構造の要部を示す断面図である。
【図６】従来のブリーザ室のオイル遮蔽構造を示す断面図である。
【図７】従来のブリーザ室のオイル遮蔽構造を示す図１中Ｃ−Ｃ線に沿う断面図である。
【符号の説明】
【００５０】
１  リリーフ弁
２  ブリーザ室
３  油戻し溝
４  リブ
６  プレート
２１  下部壁
６１  屈曲部
【図１】
2005315393.tif 000003
【図２】
2005315393.tif 000004
【図３】
2005315393.tif 000005
【図４】
2005315393.tif 000006
【図５】
2005315393.tif 000007
【図６】
2005315393.tif 000008
【図７】
2005315393.tif 000009